(57)【要約】【課題】着信報知を行うことができ、消費電力とコストと必要スペースとを低減することができる構内交換機を提供することを目的とする。【解決手段】外線との通信を行う外線インタフェース部１２、１３と、内線に接続された電話機２、３との通信を行う内線インタフェース部１５、１６と、ＤＴＭＦ信号を発生するＤＴＭＦ発生部１９と、全体を制御する制御部１１とを有し、制御部１１は、内線インタフェース部１５、１６への着信を検出すると、ＤＴＭＦ発生部１９を制御して電話機２、３にＤＴＭＦ信号を出力する。【選択図】  図１
2005033526.tif 000002
【特許請求の範囲】
【請求項１】
外線との通信を行う外線インタフェース部と、内線に接続された電話機との通信を行う内線インタフェース部と、ＤＴＭＦ信号を発生するＤＴＭＦ発生部と、全体を制御する制御部とを有し、
前記制御部は、前記内線インタフェース部への着信を検出すると、前記ＤＴＭＦ発生部を制御して前記電話機にＤＴＭＦ信号を出力することを特徴とする構内交換機。
【請求項２】
前記制御部は、前記ＤＴＭＦ発生部で発生するＤＴＭＦ信号を内線からの着信か外線からの着信かで異ならせることを特徴とする請求項１に記載の構内交換機。
【請求項３】
前記ＤＴＭＦ発生部は、外線ダイヤル発信のために前記外線インタフェース部からＤＴＭＦ信号を出力する場合にも使用されることを特徴とする請求項１または２に記載の構内交換機。
【請求項４】
前記内線インタフェース部は前記電話機へ供給される電流値が第１の値未満であるか又は第１の値から第２の値の範囲内であるか否かを検出して検出結果を前記制御部に通知する電流検出部を有し、
前記制御部は、前記電話機へ供給される電流値が所定期間第１の値から第２の値の範囲内であると検出すると前記電話機が接続されていると判定し、前記電話機へ供給される電流値が第１の値未満であると検出すると前記電話機が接続されていないと判定することを特徴とする請求項１乃至３のいずれか１に記載の構内交換機。
【請求項５】
前記制御部は、着信した前記内線インタフェース部に電話機が接続されているか否かを判定する着信内線接続判定手段を備えたことを特徴とする請求項１乃至３のいずれか１に記載の構内交換機。
【請求項６】
前記内線インタフェース部は前記電話機への通電電流を検出する電流検出部を有し、前記着信内線接続判定手段は、前記電流検出部で検出した電流値が所定値の場合には着信した前記内線インタフェース部に電話機が接続されていると判定し、前記電流検出部で検出した電流値が所定値以下の場合には着信した前記内線インタフェース部に電話機が接続されていないと判定することを特徴とする請求項５に記載の構内交換機。
【請求項７】
前記制御部は、前記内線インタフェース部への着信の有無を判定する内線着信判定手段と、前記内線インタフェース部への着信があった場合には前記ＤＴＭＦ発生部を制御して前記電話機にＤＴＭＦ信号を出力するＤＴＭＦ信号出力手段とを有し、前記ＤＴＭＦ信号出力手段は、着信した前記内線インタフェース部に電話機が接続されていないと前記着信内線接続判定手段が判定した場合は、前記内線着信判定手段において前記内線インタフェース部へ着信したと判定しても、ＤＴＭＦ信号は出力しないことを特徴とする請求項１乃至６のいずれか１に記載の構内交換機。
【請求項８】
構内交換機の内線に接続された電話機であって、
前記内線から送信されるＤＴＭＦ信号を受信するＤＴＭＦ受信部と、ＤＴＭＦ信号の示す番号と着信報知種別とを関連付けて記憶する着信報知テーブルと、前記ＤＴＭＦ受信部で受信したＤＴＭＦ信号の示す番号と前記着信報知テーブルの内容とに基づいて着信を報知する着信報知部と、全体を制御する制御部とを有することを特徴とする電話機。
【請求項９】
前記着信報知テーブルは、前記着信報知種別として少なくとも内線からの着信と外線からの着信とを含むことを特徴とする請求項８に記載の電話機。
【請求項１０】
２線の内線から入力した直流を変換して電源電圧として出力する電源回路を備え、前記電源回路は、オンフック状態で前記ＤＴＭＦ受信部と前記着信報知部と前記制御部とを動作させるだけの電力を出力可能であることを特徴とする請求項８または９に記載の電話機。
【請求項１１】
前記制御部は、前記ＤＴＭＦ受信部で受信したＤＴＭＦ信号が着信報知停止を示す信号か否かを前記着信報知テーブルの内容に基づいて判定する着信報知停止要求判定手段と、前記着信報知停止要求判定手段において前記受信したＤＴＭＦ信号が着信報知停止を示す信号であると判定したときには着信報知を停止する着信報知手段とを有することを特徴とする請求項８乃至１０のいずれか１に記載の電話機。
【請求項１２】
前記着信報知手段は、前記着信報知手段における着信報知開始からＤＴＭＦ信号を受信することなく所定時間を経過したときには着信報知を終了することを特徴とする請求項１１に記載の電話機。
【請求項１３】
請求項１乃至７のいずれか１に記載の構内交換機と請求項８乃至１２のいずれか１に記載の電話機とから成ることを特徴とする構内交換システム。
【発明の詳細な説明】
【０００１】
【発明の属する技術分野】
本発明は、外線と内線または内線同士を接続する構内交換機、その構内交換機の内線に接続される電話機、及び、その構内交換機と電話機とから成る構内交換システムに関するものである。
【０００２】
【従来の技術】
電話機を鳴動させる場合、従来の構内交換機はベル信号を送出していた（例えば、特許文献１参照）。図９は、従来の構内交換機を示すブロック図である。図９において、１Ａは構内交換機、１１Ａは全体を制御すると共にタイマ回路１１０を用いて時間計測を行う制御部、１２、１３は外線（ＰＳＴＮ回線）を介して局交換網との通信を行う外線インタフェース部、１４は後述の内線インタフェース部１５Ａ、１６Ａと外線インタフェース部１２、１３等とを接続するスイッチ、１５Ａ、１６Ａは電話機２Ａ、３Ａとの通信を行う内線インタフェース部、１７はベル信号を発生するベル発生回路、１８はドアフォン４との通信を行うドアフォンインタフェース部、１９はＤＴＭＦ信号を発生するＤＴＭＦ発生部、２０Ａは情報を記憶する記憶部である。
【０００３】
また、図１０は、従来の電話機を示すブロック図である。図１０において、２Ａ、３Ａは構内交換機１Ａの内線に接続される電話機、２１Ａは全体を制御すると共にタイマ回路２１０を用いて時間計測を行う制御部、２２Ａは構内交換機１Ａの内線インタフェース部１５Ａ、１６Ａとの通信を行うと共にベル検出回路２２１を用いてベル信号を検出する通信インタフェース部、２３は音声を増幅して出力する音声回路、２４はスピーカ、２５はマイクロフォン、２６はキーボード等の入力部２７からの信号を検出する入力検出部、２８Ａは情報を記憶する記憶部、２９はフック状態（オンフック、オフフック）を検知するフックスイッチ、３０はフックスイッチ２９からの信号に基づいてフック状態を検出するフック検出部、３１はＬＣＤやＬＥＤなどから成る表示部、３２は音声を出力するリンガ回路、３３は信号の伝送を行うバス（Ｉ／Ｏを含む）、２２２は通信インタフェース部２２Ａ内に配置された電源回路である。
【０００４】
このように構成された構内交換機１Ａおよび電話機２Ａ、３Ａについて、その音声出力動作を説明する。外線または内線からの着信（ここでは電話機３Ａへの着信とする）を外線インタフェース部１２、１３または内線インタフェース部１５Ａ、１６Ａにおいて検知し、その通知を受けた制御部１１Ａは、ベル発声回路１７からベル信号を発生させ、着信内線の電話機３Ａが接続された内線インタフェース部１６Ａを介してベル信号を電話機３Ａへ送信する。
【０００５】
ベル信号を受信した電話機３Ａのベル検出回路２２１はベル信号を検出し、制御部２１Ａに通知する。制御部２１Ａは、リンガ回路を鳴らし、着信を使用者に知らせる。
【０００６】
【特許文献１】
特開昭５３−３０８０２号公報
【０００７】
【発明が解決しようとする課題】
しかしながら、従来の構内交換機および電話機では、着信の報知をベル信号により行っているため、ベル発生回路１７を必要とするが、このベル発生回路１７は、消費電力が大きく、また変圧器等を使用していることにより広いスペースが必要であり、また高コストであるという問題点を有していた。
【０００８】
この構内交換機、電話機及び構内交換システムでは、ベル信号の代わりにＤＴＭＦ信号を用いて着信報知を行うことにより、消費電力とコストと必要スペースとを低減することが要求されている。
【０００９】
本発明は、ＤＴＭＦ信号を用いて着信報知を行うことができ、消費電力とコストと必要スペースとを低減することができる構内交換機、および、ＤＴＭＦ信号を用いて着信報知を行うことができる電話機、ならびに、ＤＴＭＦ信号を用いて着信報知を行うことができ、消費電力とコストと必要スペースとを低減することができる構内交換システムを提供することを目的とする。
【００１０】
【課題を解決するための手段】
上記課題を解決するために本発明の構内交換機は、外線との通信を行う外線インタフェース部と、内線に接続された電話機との通信を行う内線インタフェース部と、ＤＴＭＦ信号を発生するＤＴＭＦ発生部と、全体を制御する制御部とを有し、制御部は、内線インタフェース部への着信を検出すると、ＤＴＭＦ発生部を制御して電話機にＤＴＭＦ信号を出力する構成を備えている。
【００１１】
これにより、ＤＴＭＦ信号を用いて着信報知を行うことができ、消費電力とコストと必要スペースとを低減することができる構内交換機が得られる。
【００１２】
上記課題を解決するために本発明の電話機は、構内交換機の内線に接続された電話機であって、内線から送信されるＤＴＭＦ信号を受信するＤＴＭＦ受信部と、ＤＴＭＦ信号の示す番号と着信報知種別とを関連付けて記憶する着信報知テーブルと、ＤＴＭＦ受信部で受信したＤＴＭＦ信号の示す番号と着信報知テーブルの内容とに基づいて着信を報知する着信報知部と、全体を制御する制御部とを有する構成を備えている。
【００１３】
これにより、ＤＴＭＦ信号を用いて着信報知を行うことができる電話機が得られる。
【００１４】
上記課題を解決するために本発明の構内交換システムは、上記構内交換機と上記電話機とから成る構成を備えている。
【００１５】
これにより、ＤＴＭＦ信号を用いて着信報知を行うことができ、消費電力とコストと必要スペースとを低減することができる構内交換システムが得られる。
【００１６】
【発明の実施の形態】
本発明の請求項１に記載の構内交換機は、外線との通信を行う外線インタフェース部と、内線に接続された電話機との通信を行う内線インタフェース部と、ＤＴＭＦ信号を発生するＤＴＭＦ発生部と、全体を制御する制御部とを有し、制御部は、内線インタフェース部への着信を検出すると、ＤＴＭＦ発生部を制御して電話機にＤＴＭＦ信号を出力することとしたものである。
【００１７】
この構成により、内線接続の電話機に対して着信報知種別を示すＤＴＭＦ信号を送出することができ、ＤＴＭＦ信号を用いて内線接続の電話機に着信報知を行うことができるので、消費電力とコストと必要スペースとを低減することができるという作用を有する。
【００１８】
請求項２に記載の構内交換機は、請求項１に記載の構内交換機において、制御部は、ＤＴＭＦ発生部で発生するＤＴＭＦ信号を内線からの着信か外線からの着信かで異ならせることとしたものである。
【００１９】
この構成により、外線からの着信、内線からの着信に応じた着信報知種別を示すＤＴＭＦ信号を送出することができ、ＤＴＭＦ信号を用いて内線接続の電話機に着信報知を正確に行うことができるという作用を有する。
【００２０】
請求項３に記載の構内交換機は、請求項１または２に記載の構内交換機において、ＤＴＭＦ発生部は、外線ダイヤル発信のために外線インタフェース部からＤＴＭＦ信号を出力する場合にも使用されることとしたものである。
【００２１】
この構成により、従来のＤＴＭＦ発生部を使用することができ、新たなＤＴＭＦ発生部を設ける必要がないので、部品数やコストの低減、必要スペースの縮小を図ることができるという作用を有する。
【００２２】
請求項４に記載の構内交換機は、請求項１乃至３のいずれか１に記載の構内交換機において、内線インタフェース部は電話機へ供給される電流値が第１の値未満であるか又は第１の値から第２の値の範囲内であるか否かを検出して検出結果を制御部に通知する電流検出部を有し、制御部は、電話機へ供給される電流値が所定期間第１の値から第２の値の範囲内であると検出すると電話機が接続されていると判定し、電話機へ供給される電流値が第１の値未満であると検出すると電話機が接続されていないと判定することとしたものである。
【００２３】
この構成により、着信した内線インタフェース部に電話機が接続されているか否かを正確に判定することができるので、着信した内線インタフェース部に電話機が接続されていない場合の無駄な動作を確実に防止することができるという作用を有する。
【００２４】
請求項５に記載の構内交換機は、請求項１乃至３のいずれか１に記載の構内交換機において、制御部は、着信した内線インタフェース部に電話機が接続されているか否かを判定する着信内線接続判定手段を備えることとしたものである。
【００２５】
この構成により、着信した内線インタフェース部に電話機が接続されていない場合の無駄な動作を防止することができるという作用を有する。
【００２６】
請求項６に記載の構内交換機は、請求項５に記載の構内交換機において、内線インタフェース部は電話機への通電電流を検出する電流検出部を有し、着信内線接続判定手段は、電流検出部で検出した電流値が所定値の場合には着信した内線インタフェース部に電話機が接続されていると判定し、電流検出部で検出した電流値が所定値以下の場合には着信した内線インタフェース部に電話機が接続されていないと判定することとしたものである。
【００２７】
この構成により、着信した内線インタフェース部に電話機が接続されているか否かを正確に判定することができるので、着信した内線インタフェース部に電話機が接続されていない場合の無駄な動作を確実に防止することができるという作用を有する。
【００２８】
請求項７に記載の構内交換機は、請求項１乃至６のいずれか１に記載の構内交換機において、制御部は、内線インタフェース部への着信の有無を判定する内線着信判定手段と、内線インタフェース部への着信があった場合にはＤＴＭＦ発生部を制御して電話機にＤＴＭＦ信号を出力するＤＴＭＦ信号出力手段とを有し、ＤＴＭＦ信号出力手段は、着信した内線インタフェース部に電話機が接続されていないと着信内線接続判定手段が判定した場合は、内線着信判定手段において内線インタフェース部へ着信したと判定しても、ＤＴＭＦ信号は出力しないこととしたものである。
【００２９】
この構成により、着信した内線インタフェース部に電話機が接続されていない場合にＤＴＭＦ信号を出力するという無駄な動作を防止することができるという作用を有する。
【００３０】
請求項８に記載の電話機は、構内交換機の内線に接続された電話機であって、内線から送信されるＤＴＭＦ信号を受信するＤＴＭＦ受信部と、ＤＴＭＦ信号の示す番号と着信報知種別とを関連付けて記憶する着信報知テーブルと、ＤＴＭＦ受信部で受信したＤＴＭＦ信号の示す番号と着信報知テーブルの内容とに基づいて着信を報知する着信報知部と、全体を制御する制御部とを有することとしたものである。
【００３１】
この構成により、ＤＴＭＦ受信部で受信したＤＴＭＦ信号に基づいて構内交換機から送信された着信報知種別を判別することができるので、音声や画面表示によりその着信報知種別を使用者に通知することができるという作用を有する。
【００３２】
請求項９に記載の電話機は、請求項８に記載の電話機において、着信報知テーブルは、着信報知種別として少なくとも内線からの着信と外線からの着信とを含むこととしたものである。
【００３３】
この構成により、内線からの着信と外線からの着信を確実に判別して使用者に通知することができるという作用を有する。
【００３４】
請求項１０に記載の電話機は、請求項８または９に記載の電話機において、２線の内線から入力した直流を変換して電源電圧として出力する電源回路を備え、電源回路は、オンフック状態でＤＴＭＦ受信部と着信報知部と制御部とを動作させるだけの電力を出力可能であることとしたものである。
【００３５】
この構成により、最小の電力で着信種別報知を行うことができるという作用を有する。
【００３６】
請求項１１に記載の電話機は、請求項８乃至１０のいずれか１に記載の電話機において、制御部は、ＤＴＭＦ受信部で受信したＤＴＭＦ信号が着信報知停止を示す信号か否かを着信報知テーブルの内容に基づいて判定する着信報知停止要求判定手段と、着信報知停止要求判定手段において受信したＤＴＭＦ信号が着信報知停止を示す信号であると判定したときには着信報知を停止する着信報知手段とを有することとしたものである。
【００３７】
この構成により、着信報知停止を示すＤＴＭＦ信号を受信したときには確実に着信報知を停止することができるという作用を有する。
【００３８】
請求項１２に記載の電話機は、請求項１１に記載の電話機において、着信報知手段は、着信報知手段における着信報知開始からＤＴＭＦ信号を受信することなく所定時間を経過したときには着信報知を終了することとしたものである。
【００３９】
この構成により、所定時間内に着信報知停止のＤＴＭＦ信号を受信しないときには自動的に着信報知を終了させることができるという作用を有する。
【００４０】
請求項１３に記載の構内交換システムは、請求項１乃至７のいずれか１に記載の構内交換機と請求項８乃至１２のいずれか１に記載の電話機とから成る構内交換システムとしたものである。
【００４１】
この構成により、ＤＴＭＦ信号を用いて着信報知を行うことができ、消費電力とコストと必要スペースとを低減することができる構内交換システムが得られるという作用を有する。
【００４２】
以下、本発明の実施の形態について、図１〜図８を用いて説明する。
【００４３】
（実施の形態１）
図１は、本発明の実施の形態１による構内交換機を示すブロック図である。図１において、ドアフォン４、外線インタフェース部１２、１３、スイッチ１４、ドアフォンインタフェース部１８、ＤＴＭＦ発生部１９は図９と同様のものなので、同一符号を付し、説明は省略する。１は構内交換機、２、３は構内交換機１の内線に接続された電話機、１１は全体を制御すると共にタイマ回路１１０を用いて時間計測を行う制御部、１５、１６は電話機２、３との通信を行うと共に電流検出部１５１、１６１を用いて電話機３、４へ流れる電流を検出する内線インタフェース部、２０は情報を記憶すると共に着信報知種別とＤＴＭＦ信号の示す番号とを関連付けて記憶するＤＴＭＦ出力テーブル２０１を有する記憶部である。
【００４４】
また図２は、本発明の実施の形態１による電話機を示すブロック図である。図２において、音声回路２３、スピーカ２４、マイクロフォン２５、入力検出部２６、入力部２７、フックスイッチ２９、フック検出部３０、表示部３１、リンガ回路３２、バス３３は図１０と同様のものなので、同一符号を付し、説明は省略する。２、３は構内交換機１の内線に接続される電話機、２１は全体を制御すると共にタイマ回路２１０を用いて時間計測を行う制御部、２２は構内交換機１の内線インタフェース部１５、１６との通信を行うと共に内線インタフェース部１５、１６からの直流を変換した直流を電源として電話機２、３の各部に出力する電源回路２２２を有する通信インタフェース部、２８は情報を記憶すると共にＤＴＭＦ信号の示す番号と着信報知種別とを関連付けて記憶する着信報知テーブル２８１を有する記憶部、３４は構内交換機１からのＤＴＭＦ信号を受信するＤＴＭＦ受信部である。
【００４５】
なお、表示部３１とリンガ回路３２はそれぞれ着信を報知する着信報知部である。ここで、通信インタフェース部２２Ａは、構内交換機１の内線インタフェース部１５と一対の通信線（２線）で接続されており、電源回路２２２は、この通信線から供給される直流を変換して電源電圧とし、内線電話機２内部に電源を供給する。この電源回路２２２は、内線電話機２がオフフック状態のときと、オンフック状態のときで内線電話機２内部への電源の供給を異ならしめるように動作する。すなわち、内線電話機２がオンフック状態の場合には、構内交換機１がオフフック検出しない程度の電源電流を通信線から取り出し、ＤＴＭＦ受信部３４と着信報知部３１、３２と制御部２１へ電源を供給し、一方、内線電話機２がオフフック状態である場合には、内線電話機２内部全体に電源を供給する。
【００４６】
さらに、図３は図１の制御部１１の機能実現手段（プログラム動作により実現される機能を有する手段）を示す機能ブロック図であり、図５は図２の制御部２１の機能実現手段を示す機能ブロック図である。
【００４７】
図３、図５において、１１１は外線（ＰＳＴＮ回線）または内線から内線インタフェース部１５、１６への着信の有無を判定する内線着信判定手段、１１２は着信した内線インタフェース部１５、１６に電話機が接続されているか否かを判定する着信内線接続判定手段、１１３は記憶部２０から情報を読み出す読出し手段、１１４は内線インタフェース部１５、１６への着信があった場合にはＤＴＭＦ発生部１９を制御して内線インタフェース部１５、１６に接続された電話機にＤＴＭＦ信号を出力するＤＴＭＦ信号出力手段、１１５は時間計測を行う計時手段、１１６は電話機からの応答の有無を判定する電話機応答判定手段、１１７は着信が終了したか否かを判定する着信終了判定手段である。
【００４８】
２１１はＤＴＭＦ受信部３４でＤＴＭＦ信号を受信したか否かを判定するＤＴＭＦ信号受信判定手段、２１２は記憶部２８から情報を読み出す読出し手段、２１３はＤＴＭＦ受信部３４で受信したＤＴＭＦ信号が着信報知停止を示す信号か否かを着信報知テーブル２８１の内容に基づいて判定する着信報知停止要求判定手段、２１４は受信したＤＴＭＦ信号が着信報知停止を示す信号であると着信報知停止要求判定手段２１３において判定したときには着信報知を停止する着信報知手段、２１５は時間計測を行う計時手段である。
【００４９】
ここで、着信終了判定手段１１７における着信終了判定の動作について説明する。この動作はアナログ外線とデジタル外線と内線とで異なる。制御部１１は、アナログ外線の場合、ベル信号が所定期間なかったことを検出した場合に着信が終了したと判定し、デジタル外線の場合、着信終了の信号が外線インタフェース部１２、１３から送られてきたときに着信が終了したと判定し、内線の場合には発呼者の内線電話機２、３がオンフックしたことを内線インタフェース部１５、１６が検出したときに着信が終了したと判定する。また、着信内線接続判定手段１１２における電話機の接続検出の電流値は、電話機がオフフックしたときの電流値よりも小さい値にする必要があり、オフフックしたときの電流値が例えば２０ｍＡの場合、電話機の接続検出の電流値を５ｍＡ以上２０ｍＡ未満とすることにより、電話機で受話器をあげて通話しようとする場合と区別することができる。
【００５０】
図３の制御部１１について、その動作を図１、図４、図８を用いて説明する。図４は図３の制御部１１の動作を示すフローチャートであり、図８はＤＴＭＦ信号の示す番号とその番号に対応するメッセージ内容（着信報知種別）とを示す着信報知テーブルデータ図である。
【００５１】
図４において、まず、内線着信判定手段１１１は、外線または内線から内線への着信が有るか否かを外線インタフェース部１２、１３または内線インタフェース部１５、１６の状態により判定し（Ｓ１）、内線への着信有りと判定した場合（ここでは内線インタフェース部１６への着信とする）には次に着信内線接続判定手段１１２は着信した内線（つまり内線インタフェース部１６）に電話機３が接続されているか否かを判定する（Ｓ２）。
【００５２】
電話機３が接続されていないと判定した場合には着信処理を終了する。すなわち、後述のステップＳ４で示すＤＴＭＦ信号出力手段１１４は、着信した内線インタフェース部１５、１６に電話機が接続されていないと着信内線接続判定手段１１２が判定した場合は、内線着信判定手段１１１において内線インタフェース部１５、１６へ着信したと判定しても、ＤＴＭＦ信号は出力しない。
【００５３】
ステップＳ２で電話機３が接続されていると判定した場合には次に読出し手段１１３は、外線や内線のような着信報知種別とＤＴＭＦ信号の示す番号とが関連付けて記憶されている記憶部２０のＤＴＭＦ出力テーブル２０１から、着信報知種別に応じたＤＴＭＦ信号を読み出す（Ｓ３）。着信報知種別とＤＴＭＦ信号の示す番号との関連付けは図８に示す通りであり、例えば着信報知種別（メッセージ内容）が外線着信報知開始の場合は対応するＤＴＭＦ信号は番号１０を示すＤＴＭＦ信号であり、着信報知種別が内線着信報知停止の場合は、対応するＤＴＭＦ信号は番号２９を示すＤＴＭＦ信号である。
【００５４】
次に、ＤＴＭＦ信号出力手段１１４は、読出し手段１１３により読み出したＤＴＭＦ信号を内線インタフェース部１６を介して電話機３へ出力する（Ｓ４）。次に、計時手段１１５は、タイマ回路１１０を用いてＤＴＭＦ信号出力後の経過時間の計測を開始する（Ｓ５）。
【００５５】
次に、電話機応答判定手段１１６は、電話機３の応答があるか否かを判定し（Ｓ６）、電話機３の応答があった場合には、この着信処理を終了する。電話機３の応答がない場合には次に着信終了判定手段１１７はステップＳ１で検出した着信が終了したか否かを判定し（Ｓ７）、着信報知種別が着信報知停止の場合には次にＤＴＭＦ信号出力手段１１４は着信報知停止に対応するＤＴＭＦ信号を電話機３へ出力する（Ｓ１０）。
【００５６】
着信報知種別が着信報知停止でない場合には次に計時手段１１５はタイムアップしたか否か（例えば３０秒経過したか否か）を判定し（Ｓ８）、タイムアップしていない場合にはステップＳ６へ戻り、タイムアップしている場合にはＤＴＭＦ信号出力手段１１４がＤＴＭＦ信号を再出力した後にステップＳ５へ戻って時間計測をやり直す（Ｓ９）。
【００５７】
図５の制御部２１について、その動作を図２、図６、図８を用いて説明する。図６は図５の制御部２１の動作を示すフローチャートである。図６において、まず、ＤＴＭＦ信号受信判定手段２１１は、ＤＴＭＦ受信部３４でＤＴＭＦ信号を受信したか否かを判定し（Ｓ１１）、ＤＴＭＦ信号を受信したと判定した場合には次に読出し手段２１２は、ＤＴＭＦ信号の示す番号と着信報知種別とが関連付けて記憶されている記憶部２８の着信報知テーブル２８１から、ＤＴＭＦ信号の示す番号に対応した着信報知種別を読み出す（Ｓ１２）。
【００５８】
例えばＤＴＭＦ信号の示す番号が１０の場合には着信報知種別（メッセージ内容）は、外線からの着信の報知を開始する外線着信報知開始である。次に、着信報知停止要求判定手段２１３は、ＤＴＭＦ受信部３４で受信したＤＴＭＦ信号が着信報知停止を示す信号か否かを着信報知テーブル２８１の内容に基づいて判定し（Ｓ１３）、着信報知停止を示す信号でない場合には着信報知手段２１４は着信報知を開始する（Ｓ１４）。
【００５９】
例えば着信報知種別が外線着信報知開始の場合には、外線からの着信であることをリンガ回路３２から音で通知し、ＬＣＤやＬＥＤなどから成る表示部３１は外線からの着信であることを表示する。次に、計時手段２１５は、タイマ回路２１０を用いてＤＴＭＦ信号受信後の経過時間の計測を開始する（Ｓ１５）。
【００６０】
次にＤＴＭＦ信号受信判定手段２１１は再び、ＤＴＭＦ受信部３４でＤＴＭＦ信号を受信したか否かを判定し（Ｓ１６）、ＤＴＭＦ信号を受信したと判定した場合にはステップＳ１２へ戻り、ＤＴＭＦ信号を受信していないと判定した場合には次に計時手段２１５はタイムアップしたか否か（例えば３０秒経過したか否か）を判定し（Ｓ１７）、タイムアップしていない場合にはステップＳ１６へ戻り、タイムアップしている場合にはこの着信報知処理を終了する。
【００６１】
ステップＳ１３でＤＴＭＦ信号は着信報知停止を示す信号（例えばステップＳ１２で読み出した着信種別報知が外線着信報知開始である場合には番号１９の外線着信報知停止を示す信号）であると着信報知停止要求判定手段２１３が判定した場合には、着信報知手段２１４は着信報知を停止する（Ｓ１８）。
【００６２】
図７は、外線着信報知動作（Ｓ２１〜Ｓ２６）および内線着信報知動作（Ｓ３１〜Ｓ３４）を示すシーケンス図である。外線着信報知動作においては、まず、外線から構内交換機１に着信があると（Ｓ２１）、構内交換機１は外線着信報知開始のＤＴＭＦ信号を電話機３へ送信し（Ｓ２２）、所定時間が経過したら外線着信報知停止のＤＴＭＦ信号を電話機３へ送信する（Ｓ２３）。電話機３をオフフックすると、オフフック信号が構内交換機１へ送信され（Ｓ２４）、また構内交換機１を介して外線へ送信され（Ｓ２５）、通話路が接続される（Ｓ２６）。
【００６３】
内線着信報知動作においては、まず、電話機２から構内交換機１に電話機３の呼び出し信号を発信すると（Ｓ３１）、構内交換機１は内線着信報知開始のＤＴＭＦ信号を電話機３へ送信し（Ｓ３２）、所定時間が経過したら電話機２は呼び出し信号の発信を中止し（Ｓ３３）、構内交換機１は内線着信報知停止のＤＴＭＦ信号を電話機３へ送信する（Ｓ２３）。
【００６４】
なお、図８の番号４０、４１に示すアラーム動作は例えばモーニングコール動作であり、制御部２１は、周期的に記憶部２８を検索してモーニングコール時刻を読み出し、その読み出した時刻になったときに電話機２または３にモーニングコールというアラームを示すＤＴＭＦ信号を送信する。
【００６５】
以上のように本実施の形態によれば、外線との通信を行う外線インタフェース部１２、１３と、内線に接続された電話機２、３との通信を行う内線インタフェース部１５、１６と、ＤＴＭＦ信号を発生するＤＴＭＦ発生部１９と、全体を制御する制御部１１とを有し、制御部１１は、内線インタフェース部１５、１６への着信を検出すると、ＤＴＭＦ発生部１９を制御して電話機にＤＴＭＦ信号を出力することにより、内線接続の電話機に対して着信報知種別を示すＤＴＭＦ信号を送出することができ、ＤＴＭＦ信号を用いて内線接続の電話機に着信報知を行うことができるので、消費電力とコストと必要スペースとを低減することができる。
【００６６】
また、制御部１１は、ＤＴＭＦ発生部１９で発生するＤＴＭＦ信号を内線からの着信か外線からの着信かで異ならせることにより、外線からの着信、内線からの着信に応じた着信報知種別を示すＤＴＭＦ信号を送出することができ、ＤＴＭＦ信号を用いて内線接続の電話機に着信報知を正確に行うことができる。
【００６７】
さらに、ＤＴＭＦ発生部１９は、外線ダイヤル発信のために外線インタフェース部１２、１３からＤＴＭＦ信号を出力する場合にも使用されることにより、従来のＤＴＭＦ発生部を使用することができ、新たなＤＴＭＦ発生部を設ける必要がないので、部品数やコストの低減、必要スペースの縮小を図ることができる。
【００６８】
さらに、内線インタフェース部１５、１６は電話機２、３へ供給される電流値が第１の値未満であるか又は第１の値から第２の値の範囲内であるか否かを検出して検出結果を制御部１１に通知する電流検出部１５１、１６１を有し、制御部１１は、電話機２、３へ供給される電流値が所定期間第１の値から第２の値の範囲内であると検出すると電話機２、３が接続されていると判定し、電話機２、３へ供給される電流値が第１の値未満であると検出すると電話機２、３が接続されていないと判定することにより、着信した内線インタフェース部１５、１６に電話機２、３が接続されているか否かを正確に判定することができるので、着信した内線インタフェース部１５、１６に電話機２、３が接続されていない場合の無駄な動作を確実に防止することができる。
【００６９】
さらに、制御部１１は、着信した内線インタフェース部１５、１６に電話機が接続されているか否かを判定する着信内線接続判定手段１１２を備えたことにより、着信した内線インタフェース部１５、１６に電話機が接続されていない場合の無駄な動作を防止することができる。
【００７０】
さらに、内線インタフェース部１５、１６は電話機２、３への通電電流を検出する電流検出部１５１、１６１を有し、着信内線接続判定手段１１２は、電流検出部１５１、１６１で検出した電流値が所定値の場合には着信した内線インタフェース部１５、１６に電話機が接続されていると判定し、電流検出部１５１、１６１で検出した電流値が所定値以下の場合には着信した内線インタフェース部１５、１６に電話機が接続されていないと判定することにより、着信した内線インタフェース部１５、１６に電話機が接続されているか否かを正確に判定することができるので、着信した内線インタフェース部１５、１６に電話機が接続されていない場合の無駄な動作を確実に防止することができる。
【００７１】
さらに、制御部１１は、内線インタフェース部１５、１６への着信の有無を判定する内線着信判定手段１１１と、内線インタフェース部１５、１６への着信があった場合にはＤＴＭＦ発生部１９を制御して電話機２、３にＤＴＭＦ信号を出力するＤＴＭＦ信号出力手段１１４とを有し、ＤＴＭＦ信号出力手段１１４は、着信した内線インタフェース部１５、１６に電話機２、３が接続されていないと着信内線接続判定手段１１２が判定した場合は、内線着信判定手段１１１において内線インタフェース部１５、１６へ着信したと判定しても、ＤＴＭＦ信号は出力しないことにより、着信した内線インタフェース部１５、１６に電話機が接続されていない場合にＤＴＭＦ信号を出力するという無駄な動作を防止することができる。
【００７２】
さらに、構内交換機１の内線に接続された電話機２、３であって、内線から送信されるＤＴＭＦ信号を受信するＤＴＭＦ受信部３４と、ＤＴＭＦ信号の示す番号と着信報知種別とを関連付けて記憶する着信報知テーブル２８１と、ＤＴＭＦ受信部３４で受信したＤＴＭＦ信号の示す番号と着信報知テーブル２８１の内容とに基づいて着信を報知する着信報知部３１、３２と、全体を制御する制御部２１とを有することにより、ＤＴＭＦ受信部３４で受信したＤＴＭＦ信号に基づいて構内交換機１から送信された着信報知種別を判別することができるので、音声や画面表示によりその着信報知種別を使用者に通知することができる。
【００７３】
さらに、着信報知テーブル２８１は、着信報知種別として少なくとも内線からの着信と外線からの着信とを含むことにより、内線からの着信と外線からの着信を確実に判別して使用者に通知することができる。
【００７４】
さらに、２線の内線から入力した直流を変換して電源電圧として出力する電源回路２２２を備え、電源回路２２２は、オンフック状態でＤＴＭＦ受信部３４と着信報知部３１、３２と制御部２１とを動作させるだけの電力を出力可能であることにより、最小の電力で着信種別報知を行うことができる。
【００７５】
さらに、制御部２１は、ＤＴＭＦ受信部３４で受信したＤＴＭＦ信号が着信報知停止を示す信号か否かを着信報知テーブル２８１の内容に基づいて判定する着信報知停止要求判定手段２１３と、着信報知停止要求判定手段２１３において受信したＤＴＭＦ信号が着信報知停止を示す信号であると判定したときには着信報知を停止する着信報知手段２１４とを有することにより、着信報知停止を示すＤＴＭＦ信号を受信したときには確実に着信報知を停止することができる。
【００７６】
さらに、着信報知手段２１４は、着信報知手段２１４における着信報知開始からＤＴＭＦ信号を受信することなく所定時間を経過したときには着信報知を終了することにより、所定時間内に着信報知停止のＤＴＭＦ信号を受信しないときには自動的に着信報知を終了させることができる。従って、構内交換機が誤動作等により着信報知停止のＤＴＭＦ信号を受信することができなくても、所定時間経過すれば自動的に着信報知を終了させることができる。
【００７７】
さらに、構内交換機１と電話機２、３とから成る構内交換システムにより、ＤＴＭＦ信号を用いて着信報知を行うことができ、消費電力とコストと必要スペースとを低減することができる構内交換システムが得られる。
【００７８】
【発明の効果】
以上説明したように本発明の構内交換機によれば、外線との通信を行う外線インタフェース部と、内線に接続された電話機との通信を行う内線インタフェース部と、ＤＴＭＦ信号を発生するＤＴＭＦ発生部と、全体を制御する制御部とを有し、制御部は、内線インタフェース部への着信を検出すると、ＤＴＭＦ発生部を制御して電話機にＤＴＭＦ信号を出力することにより、内線接続の電話機に対して着信報知種別を示すＤＴＭＦ信号を送出することができ、ＤＴＭＦ信号を用いて内線接続の電話機に着信報知を行うことができるので、消費電力とコストと必要スペースとを低減することができるという有利な効果が得られる。
【００７９】
本発明の構内交換機において、制御部は、ＤＴＭＦ発生部で発生するＤＴＭＦ信号を内線からの着信か外線からの着信かで異ならせることにより、外線からの着信、内線からの着信に応じた着信報知種別を示すＤＴＭＦ信号を送出することができ、ＤＴＭＦ信号を用いて内線接続の電話機に着信報知を正確に行うことができるという有利な効果が得られる。
【００８０】
本発明の構内交換機において、ＤＴＭＦ発生部は、外線ダイヤル発信のために外線インタフェース部からＤＴＭＦ信号を出力する場合にも使用されることにより、従来のＤＴＭＦ発生部を使用することができ、新たなＤＴＭＦ発生部を設ける必要がないので、部品数やコストの低減、必要スペースの縮小を図ることができるという有利な効果が得られる。
【００８１】
本発明の構内交換機において、内線インタフェース部は電話機へ供給される電流値が第１の値未満であるか又は第１の値から第２の値の範囲内であるか否かを検出して検出結果を制御部に通知する電流検出部を有し、制御部は、電話機へ供給される電流値が所定期間第１の値から第２の値の範囲内であると検出すると電話機が接続されていると判定し、電話機へ供給される電流値が第１の値未満であると検出すると電話機が接続されていないと判定することにより、着信した内線インタフェース部に電話機が接続されているか否かを正確に判定することができるので、着信した内線インタフェース部に電話機が接続されていない場合の無駄な動作を確実に防止することができるという有利な効果が得られる。
【００８２】
本発明の構内交換機において、制御部は、着信した内線インタフェース部に電話機が接続されているか否かを判定する着信内線接続判定手段を備えたことにより、着信した内線インタフェース部に電話機が接続されていない場合の無駄な動作を防止することができるという有利な効果が得られる。
【００８３】
本発明の構内交換機において、内線インタフェース部は電話機への通電電流を検出する電流検出部を有し、着信内線接続判定手段は、電流検出部で検出した電流値が所定値の場合には着信した内線インタフェース部に電話機が接続されていると判定し、電流検出部で検出した電流値が所定値以下の場合には着信した内線インタフェース部に電話機が接続されていないと判定することにより、着信した内線インタフェース部に電話機が接続されているか否かを正確に判定することができるので、着信した内線インタフェース部に電話機が接続されていない場合の無駄な動作を確実に防止することができるという有利な効果が得られる。
【００８４】
本発明の構内交換機において、制御部は、内線インタフェース部への着信の有無を判定する内線着信判定手段と、内線インタフェース部への着信があった場合にはＤＴＭＦ発生部を制御して電話機にＤＴＭＦ信号を出力するＤＴＭＦ信号出力手段とを有し、ＤＴＭＦ信号出力手段は、着信した内線インタフェース部に電話機が接続されていないと着信内線接続判定手段が判定した場合は、内線着信判定手段において内線インタフェース部へ着信したと判定しても、ＤＴＭＦ信号は出力しないことにより、着信した内線インタフェース部に電話機が接続されていない場合にＤＴＭＦ信号を出力するという無駄な動作を防止することができるという有利な効果が得られる。
【００８５】
本発明の構内交換機の内線に接続された電話機であって、内線から送信されるＤＴＭＦ信号を受信するＤＴＭＦ受信部と、ＤＴＭＦ信号の示す番号と着信報知種別とを関連付けて記憶する着信報知テーブルと、ＤＴＭＦ受信部で受信したＤＴＭＦ信号の示す番号と着信報知テーブルの内容とに基づいて着信を報知する着信報知部と、全体を制御する制御部とを有することにより、ＤＴＭＦ受信部で受信したＤＴＭＦ信号に基づいて構内交換機から送信された着信報知種別を判別することができるので、音声や画面表示によりその着信報知種別を使用者に通知することができるという有利な効果が得られる。
【００８６】
本発明の電話機において、着信報知テーブルは、着信報知種別として少なくとも内線からの着信と外線からの着信とを含むことにより、内線からの着信と外線からの着信を確実に判別して使用者に通知することができるという有利な効果が得られる。
【００８７】
本発明の電話機において、２線の内線から入力した直流を変換して電源電圧として出力する電源回路を備え、電源回路は、オンフック状態でＤＴＭＦ受信部と着信報知部と制御部とを動作させるだけの電力を出力可能であることにより、最小の電力で着信種別報知を行うことができるという有利な効果が得られる。
【００８８】
本発明の電話機において、制御部は、ＤＴＭＦ受信部で受信したＤＴＭＦ信号が着信報知停止を示す信号か否かを着信報知テーブルの内容に基づいて判定する着信報知停止要求判定手段と、着信報知停止要求判定手段において受信したＤＴＭＦ信号が着信報知停止を示す信号であると判定したときには着信報知を停止する着信報知手段とを有することにより、着信報知停止を示すＤＴＭＦ信号を受信したときには確実に着信報知を停止することができるという有利な効果が得られる。
【００８９】
本発明の電話機において、着信報知手段は、着信報知手段における着信報知開始からＤＴＭＦ信号を受信することなく所定時間を経過したときには着信報知を終了することにより、所定時間内に着信報知停止のＤＴＭＦ信号を受信しないときには自動的に着信報知を終了させることができるという有利な効果が得られる。
【００９０】
本発明の構内交換システムにより、ＤＴＭＦ信号を用いて着信報知を行うことができ、消費電力とコストと必要スペースとを低減することができる構内交換システムが得られるという有利な効果が得られる。
【図面の簡単な説明】
【図１】本発明の実施の形態１による構内交換機を示すブロック図
【図２】本発明の実施の形態１による電話機を示すブロック図
【図３】図１の制御部の機能実現手段を示す機能ブロック図
【図４】図３の制御部の動作を示すフローチャート
【図５】図２の制御部の機能実現手段を示す機能ブロック図
【図６】図５の制御部の動作を示すフローチャート
【図７】外線着信報知動作および内線着信報知動作を示すシーケンス図
【図８】ＤＴＭＦ信号の示す番号とその番号に対応するメッセージ内容（着信報知種別）とを示す着信報知テーブルデータ図
【図９】従来の構内交換機を示すブロック図
【図１０】従来の電話機を示すブロック図
【符号の説明】
１  構内交換機
２、３  電話機
４  ドアフォン
１１、２１  制御部
１２、１３  外線インタフェース部
１４  スイッチ
１５、１６  内線インタフェース部
１８  ドアフォンインタフェース部
１９  ＤＴＭＦ発生部
２０、２８  記憶部
２２  通信インタフェース部
２３  音声回路
２４  スピーカ
２５  マイクロフォン
２６  入力検出部
２７  入力部
２９  フックスイッチ
３０  フック検出部
３１  表示部
３２  リンガ回路
３３  バス
３４  ＤＴＭＦ受信部
１１０、２１０  タイマ回路
１１１  内線着信判定手段
１１２  着信内線接続判定手段
１１３、２１２  読出し手段
１１４  ＤＴＭＦ信号出力手段
１１５、２１５  計時手段
１１６  電話機応答判定手段
１１７  着信終了判定手段
１５１、１６１  電流検出部
２０１  ＤＴＭＦ出力テーブル
２１１  ＤＴＭＦ信号受信判定手段
２１３  着信報知停止要求判定手段
２１４  着信報知手段
２２２  電源回路
２８１  着信報知テーブル
【図１】
2005033526.tif 000003
【図２】
2005033526.tif 000004
【図３】
2005033526.tif 000005
【図４】
2005033526.tif 000006
【図５】
2005033526.tif 000007
【図６】
2005033526.tif 000008
【図７】
2005033526.tif 000009
【図８】
2005033526.tif 000010
【図９】
2005033526.tif 000011
【図１０】
2005033526.tif 000012